(57)【特許請求の範囲】
【請求項１】
電圧が印加されることでコロナ放電を起こす放電針と、
前記放電針に電圧を印加する給電部と、
前記放電針と前記給電部とが取り付けられた筐体と、
前記筐体を、送風設備の送風口に対して前方側で重なるようにして該送風設備の壁面に対して着脱可能に取り付ける取付部と、
前記給電部を保持し、且つ前記筐体に対して着脱可能に構成されたホルダーとを備え、
前記筐体には、前記送風口から送り出された風を通過させる流通空間が形成され、
前記給電部は、前記送風口から送り出される風により発電可能に構成され、
前記給電部は、
前記流通空間内に位置し、且つ前記筐体に対して回転可能に取り付けられている風車部と、
該風車部に連動して回転する回転軸を有し、且つ該回転軸の回転により前記放電針に供給する電力を発生させる発電モーターとを有し、
前記ホルダーは、互いに連結された状態の前記風車部と前記発電モーターとを保持する、
除電装置。
【請求項２】
前記給電部は、前記流通空間内に位置し、且つ前記筐体に対して回転可能に取り付けられている風車部を有し、
該風車部がクロスフローファンである、
請求項１に記載の除電装置。
【請求項３】
前記取付部は、前記送風設備の前記壁面に貼付可能に構成されている、
請求項１又は２に記載の除電装置。
【発明の詳細な説明】
【技術分野】
【０００１】
本発明は、送風設備の送風口から送り出される風の流れを利用して除電する除電装置であって、該送風設備に対して外付けできるように構成された除電装置に関する。
【背景技術】
【０００２】
従来、エアーシャワー等の送風設備には、送風口から送り出される風をイオン化するための除電装置が組み込まれている。
【０００３】
例えば、特許文献１に開示されている送風設備には、送風口としてのエアーノズル内に設置された放電針と、放電針に電圧を印加する高圧電源であって、電気導線を介して放電針に接続されている高圧電源とを備えた除電装置が組み込まれている。
【０００４】
かかる除電装置では、高圧電源によって放電針に電圧が印加されると、放電針がコロナ放電を起こすため、エアーノズル内を通過する風をイオン化できるようになっている。
【先行技術文献】
【特許文献】
【０００５】
【特許文献１】実開平２−８５５５号公報
【発明の概要】
【発明が解決しようとする課題】
【０００６】
ところで、上述従来の除電装置は、放電針や高圧電源が送風設備に対して一体的に組み込まれているため、例えば、除電装置のメンテナンスを行う際においては送風設備を分解することが必要となり、付け外しが非常に煩雑である。
【０００７】
そこで、本発明は、斯かる実情に鑑み、送風設備に対して簡単に付け外しできる除電装置の提供を課題とする。
【課題を解決するための手段】
【０００８】
本発明の除電装置は、
電圧が印加されることでコロナ放電を起こす放電針と、
前記放電針に電圧を印加する給電部と、
前記放電針と前記給電部とが取り付けられた筐体と、
前記筐体を、送風設備の送風口に対して前方側で重なるようにして該送風設備の壁面に対して着脱可能に取り付ける取付部と、を備える。
【０００９】
上記構成の除電装置によれば、送風口から送り出される風をイオン化する機能を発揮するための放電針と給電部とが取り付けられている筐体が取付部により送風設備の壁面に対して付け外し可能となっている。従って、上記構成の除電装置は、送風設備を分解せずに簡単に付け外しすることができる。
【００１０】
本発明の除電装置において、
前記筐体には、前記送風口から送り出された風を通過させる流通空間が形成され、
前記給電部は、前記送風口から送り出される風により発電可能に構成されていてもよい。
【００１１】
上記構成の除電装置は、送風口から送り出される風を利用して放電針がコロナ放電を起こすために必要な電力を発電できるため、外部の電源を利用せずに送風口から送り出される風をイオン化することができる。
【００１２】
本発明の除電装置において、
前記給電部は、前記流通空間内に位置し、且つ前記筐体に対して回転可能に取り付けられている風車部を有し、
該風車部がクロスフローファンであってもよい。
【００１３】
かかる構成によれば、送風口から送り出される風が、風車部を一方向のみに回転させる回転力として風車部に伝わり易くなるため、風車部を円滑に回転させることができ、これにより、発電モーターによる発電効率を向上させることができる。
【００１４】
本発明の除電装置は、
前記給電部を保持し、且つ前記筐体に対して着脱可能に構成されたホルダーを備え、
前記給電部は、
前記流通空間内に位置し、且つ前記筐体に対して回転可能に取り付けられている風車部と、
該風車部に連動して回転する回転軸を有し、且つ該回転軸の回転により前記放電針に供給する電力を発生させる発電モーターとを有し、
前記ホルダーは、互いに連結された状態の前記風車部と前記発電モーターとを保持するように構成されていてもよい。
【００１５】
かかる構成によれば、風車部と発電モーターとを一括して筐体に付け外しできるようになるため、発電モーターのメンテナンスが容易になる。
【００１６】
本発明の除電装置において、
前記取付部は、前記送風設備の前記壁面に貼付可能に構成されていてもよい。
【００１７】
かかる構成によれば、取付部を送風設備の壁面に貼り付けることで、筐体を送風設備の壁面に取り付けることができるため、送風設備に対して簡単に付け外しできるようになる。
【発明の効果】
【００１８】
以上のように、本発明の除電装置によれば、送風設備を分解することなく簡単に付け外しできるという優れた効果を奏し得る。
【図面の簡単な説明】
【００１９】
【図１】図１は、本発明の一実施形態に係る除電装置の正面図である。
【図２】図２は、図１のＩＩ−ＩＩ線での断面図である。
【図３】図３は、同実施形態の除電装置の部分断面正面図である。
【図４】図４は、図３の要部拡大図である。
【発明を実施するための形態】
【００２０】
以下、本発明の一実施形態に係る除電装置について添付図面を参照しつつ説明を行う。本実施形態に係る除電装置は、エアシャワー等の送風設備の送風口から送り出される風をイオン化するためのものである。すなわち、送風口から送り出される風の流れを利用して送風対象を除電できるようにするものである。また、除電装置は、送風設備とは別体物であり、送風設備の壁面に対して付け外しできるように構成されている。
【００２１】
図１に示すように、除電装置１は、送風設備の壁面に対して着脱可能に取り付けられる筐体２と、前記筐体２に取り付けられ、且つ電圧が印加されることでコロナ放電を起こす放電針３と、前記筐体２に取り付けられ、且つ前記放電針３に電圧を印加する給電部４と、前記給電部４が発生させている電圧の高さを表示する表示部５と、を備えている。なお、図１では、便宜上、給電部４を仮想線で図示している。
【００２２】
筐体２は、正面視形状において外形が長方形状であり、且つ長手方向における中央側において前後方向の両側で開口する中空空間が形成された枠状のフレーム部２０と、図３に示すように、フレーム部２０内に放電針３を取り付けるための第一ステー２１と、フレーム部２０内に給電部４を取り付けるための第二ステー２２と、フレーム部２０の前面側で前記中空空間を部分的に遮るように形成された前カバー部２３（図１参照）と、フレーム部２０を送風設備の壁面に対して着脱可能に取り付けるための取付部２４と、を有する。
【００２３】
なお、本実施形態では、筐体２のうち、除電装置１が送風設備に取り付けられた状態において、壁面に対向配置される一面を背面、壁面とは反対側に向けて配置される一面を前面と称し、また、背面と前面とが並ぶ方向を前後方向として以下の説明を行うこととする。
【００２４】
また、本実施形態では、フレーム部２０の長手方向を横幅方向と称し、横幅方向と前後方向に直交する方向を縦幅方向と称するが、除電装置１は、例えば、横幅方向を水平方向に合わせた姿勢（横向きの姿勢）で壁面に取り付けたり、横幅方向を上下方向に合わせた姿勢（縦向きの姿勢）で壁面に取り付けたりすることができる。
【００２５】
フレーム部２０は、図１に示すように、前記長手方向において間隔を空けて配置される一対のベース部２００と、該一対のベース部２００に架渡される架渡部２０１とを有する。
【００２６】
架渡部２０１には、一対のベース部２００の前記縦幅方向における一端部のそれぞれに接続されている第一架渡部２０１ａと、一対のベース部２００の前記縦幅方向における他端部のそれぞれに接続されている第二架渡部２０１ｂとが含まれている。
【００２７】
そのため、一対のベース部２００と、第一架渡部２０１ａと、第二架渡部２０１ｂとに取り囲まれた領域が前記中空空間となっており、この空間が送風口Ｂから送り出された風を筐体２の背面側から前面側へと流通（通過）させる流通空間となっている。
【００２８】
第一ステー２１は、図３に示すように、前記一対のベース部２００のそれぞれに接続されている。また、第一ステー２１は、流通空間内を前記横幅方向で横切るように形成されており、さらに、前記縦幅方向においては一方側に寄せて配置されている。
【００２９】
本実施形態に係る第一ステー２１は、筒状に形成されており、放電針３が前記縦幅方向における他方側に向かって外面から突出するように取り付けられている。また、第一ステー２１の内部には、放電針３に接続されている配線等が収容されている。
【００３０】
第二ステー２２は、一方のベース部２００から前記横幅方向において流通空間内に向かって延出する第一延出部２２０と、他方のベース部２００から前記横幅方向において流通空間内に向かって延出する第二延出部２２１とを有する。
【００３１】
第一延出部２２０と、第二延出部２２１とは、前記縦幅方向における他方側に寄せて配置されている。また、第一延出部２２０と、第二延出部２２１とは、前記横幅方向において一列に並んでおり、それぞれの先端面が互いに対向している。
【００３２】
第一延出部２２０の先端面には、図４に示すように、給電部４の後述する風車部の延出軸を受ける軸受部２２０ａが形成されている。
【００３３】
第二延出部２２１は、基端側よりも先端側の外径の方が大きくなるように形成されている。また、第二延出部２２１の先端面には、給電部４の後述するホルダー側端子と電気的に接続される筐体側端子２２１ａが取り付けられている。
【００３４】
前カバー部２３は、図１に示すように、流通空間を横切るようにして筐体２に形成されている。本実施形態の前カバー部２３は、流通空間を前記横幅方向において横切るようにして細長く形成された複数の杆状部２３０で構成されている。
【００３５】
複数の杆状部２３０は、前記縦幅方向において互いの間に間隔を空けて並んでいるため、送風口Ｂから流通空間内に流れ込んだ風は、杆状部２３０の間を通り抜けて筐体２の前面から送り出されるように構成されている。
【００３６】
取付部２４は、フレーム部２０の背面に取り付けられており、該フレーム部２０を送風設備の壁面に貼付可能である。本実施形態の取付部２４は、磁石により構成されているが、壁面に貼り付けた後に剥がすことができれば粘着剤等であってもよい。
【００３７】
放電針３には、給電部４が電気的に接続されている。放電針３の一端部は先鋭に形成されており、給電部４から電力が供給されると（すなわち、電圧が印加されると）この一端部がコロナ放電を起こすように構成されている。
【００３８】
なお、放電針３は、第一ステー２１に取り付けられた状態において、前記一端部側が第一ステー２１から外部に延出するように構成されている。
【００３９】
給電部４は、送風口Ｂから送り出される風により発電可能に構成されている。本実施形態に係る給電部４は、図４に示すように、放電針３に供給する電力を発生させる電源部４０と、該電源部４０を保持するホルダー４１と、該ホルダー４１を筐体２に対して着脱可能に取り付けるための取付構造４２と、を有する。
【００４０】
なお、本実施形態に係る給電部４は、高圧電源４３を介して放電針３に接続されており、発生させた電力を昇圧した状態で放電針３に供給できるようになっている（図１参照）。
【００４１】
電源部４０は、送風口Ｂから送り出される風を受けて回転する風車部４００と、風車部４００に連動して回転する回転軸４０１ａを有する発電モーター４０１と、を有する。
【００４２】
風車部４００は、流通空間内に位置している。本実施形態に係る風車部４００は、平板状であり且つ互いに間隔を空けて対向配置されている一対の側板部４００ａと、該一対の側板部４００ａのそれぞれに接続されている複数の羽根部４００ｂと、を有する。
【００４３】
一方の側板部４００ａには、外面から突出する延出軸４００ｃが取り付けられており、他方の側板部４００ａには、発電モーター４０１の回転軸４０１ａが挿し込まれる凹部４００ｄが形成されている。
【００４４】
延出軸４００ｃは、軸受部２２０ａ内に対して回転可能な状態で挿し込まれる。他方の側板部４００ａと凹部４００ｄに挿し込まれている回転軸４０１ａとは相対回転不能となるように構成されている。そのため、風車部４００の回転に連動して回転軸４０１ａが回転するように構成されている。なお、電源部４０は、延出軸４００ｃと、回転軸４０１ａとが同心となるように構成されている。
【００４５】
複数の羽根部４００ｂのそれぞれは、図２に示すように、板状に形成されている。
より具体的に説明すると、羽根部４００ｂは、細長い板状に形成されており、自身の長手方向が風車部４００の回転中心となる中心軸線（延出軸４００ｃの回転中心）と同方向若しくは略同方向となるように側板部４００ａに取り付けられている。
【００４６】
また、複数の羽根部４００ｂは、風車部４００の前記中心軸線を中心とする周方向において間隔を空けて並ぶように配置されており、前記中心軸線と前記周方向とに直交する径方向においては風車部４００の外側に配置されている。本実施形態の複数の羽根部４００ｂは、回転方向に対して後傾するように構成されているが、例えば、回転方向に対して前傾するように構成されていてもよい。
【００４７】
そのため、風車部４００は、送風口Ｂから送り出されて羽根部４００ｂの間から内部に入り込んだ風が内部を横切って外部に流れ出るように構成された、いわゆる、クロスフローファンである。なお、図２に図示している矢印は送風口Ｂからの風の流れを模式的に表したものであり、送風口Ｂから送り出される風の向きは一方向に限られるものではない。また、本実施形態では、羽根部４００ｂの数が４枚であるが、羽根部４００ｂの枚数は４枚に限定されるものではない。
【００４８】
本実施形態に係る風車部４００は、外周縁部が送風口Ｂの縁部に対して前方側で重なるように配置される。
【００４９】
ホルダー４１は、図４に示すように、電源部４０を保持する保持部４１０と、保持部４１０で保持している電源部４０に対して電気的に接続されるホルダー側端子４１１と、を有する。
【００５０】
保持部４１０は、風車部４００を保持する第一保持部４１０ａと、該風車部４００に連結された状態の発電モーター４０１を保持する第二保持部４１０ｂと、を有する。
【００５１】
第一保持部４１０ａと第二保持部４１０ｂとは、ホルダー４１が筐体２（第二ステー２２）に取り付けられている状態においては、前記横幅方向で一列に並ぶように形成されている。
【００５２】
第一保持部４１０ａには、風車部４００の延出軸４００ｃを挿込可能な軸孔４１０ａａが形成されている。そして、軸孔４１０ａａに挿し込まれている延出軸４００ｃの先端部は、第一保持部４１０ａから外側に向かって延出するようになっている。
【００５３】
ホルダー側端子４１１は、第二保持部４１０ｂの外面に取り付けられており、ホルダー４１が筐体２に取り付けられると筐体側端子２２１ａに接触する（すなわち、電気的に接続される）ように構成されている。
【００５４】
取付構造４２は、保持部４１０に形成された着脱部４２０と、筐体２に取り付けられ、且つ着脱部４２０を着脱可能な被着脱部４２１とを有する。
【００５５】
着脱部４２０は、保持部４１０の外面、より具体的には、第二保持部４１０ｂの外面に形成されたネジ山で構成されている。
【００５６】
被着脱部４２１は、円環状であり且つ内周面にネジ溝が形成されており、第二延出部２２１の基端側に外嵌されている。
【００５７】
着脱部４２０を構成するネジ山は、被着脱部４２１のネジ溝に対して螺合するように構成されており、ネジ山をネジ溝に螺合させるとホルダー４１が第二ステー２２に固定され、ネジ溝に対するネジ山の螺合を解除すると、ホルダー４１を第二ステー２２から取り外すことができるようになる。
【００５８】
表示部は、例えば、電力モーターの発電量に基づいて、発電量が不足している状態と、発電量が適した量である状態と、発電量が過剰である状態と、を表示できるように構成されていればよい。
【００５９】
この場合、表示部は、除電装置１の使用に適した発電量を基準値として予め設定しておき、発電量が基準値を下回っていると発電量が不足していると判断し、発電量が基準値と同一若しくは略同一である場合に発電量が適した量であると判断し、発電量が基準値を上回っていると発電量が過剰な状態であると判断し、この判断結果に応じて表示態様を切り替える構成としてもよい。
【００６０】
本実施形態に係る除電装置１の構成は、以上の通りである。本実施形態に係る除電装置１によれば、送風口Ｂから送り出される風を除電する機能を発揮するための放電針３と給電部４とが取り付けられている筐体２が着脱部４２０により送風設備の壁面に対して付け外し可能となっている。なお、本実施形態では、着脱部４２０を送風設備の壁面に貼り付けることで、筐体２を送風設備の壁面に取り付けることができるようになっている。
【００６１】
そのため、上記構成の除電装置１は、送風設備を分解せずに送風設備に付け外しすることができるため、利便性が高くなるという優れた効果を奏し得る。
【００６２】
また、放電針３に電力を供給する給電部４は、送風口Ｂから送り出される風を利用して放電針３がコロナ放電を起こすために必要な電力を発電できるため、外部の電源を利用せずに送風口Ｂから送り出される風をイオン化することができる。
【００６３】
また、本実施形態の給電部４は、送風口Ｂから送り出された風を風車部４００で受けたタイミングで放電針３に電圧を印加するように構成されているため、放電針３でコロナ放電を起こすタイミングを予め設定しておくことなく、送風口Ｂから風が送り出されるタイミングに合わせて自動的に放電針３でコロナ放電を起こすようにすることができる。
【００６４】
さらに、風車部４００は、クロスフローファンであるため、送風口Ｂから送り出される風が、風車部４００を一方向のみに回転させる回転力として風車部４００に伝わり易くなり、風車部４００を円滑に回転させることができ、これにより、発電モーターによる発電効率を向上させることができる。
【００６５】
そして、除電装置１では、風車部４００と発電モーター４０１とを一括して筐体２に対して着脱することができるため、発電モーター４０１のメンテナンスを容易に行うことも可能である。
【００６６】
なお、本発明の除電装置は、上記実施形態にされるものではなく、本発明の要旨を逸脱しない範囲内において種々の変更を加え得ることは勿論である。
【００６７】
上記実施形態の給電部４は、送風口Ｂから送り出される風により発電するように構成されていたが、この構成に限定されない。例えば、給電部４は、蓄電池で構成されていてもよい。
【００６８】
上記実施形態の筐体２は、フレーム部２０の背面に取り付けられている取付部２４により、送風設備の壁面に対して着脱可能に取り付けることができるように構成されていた。すなわち、上記実施形態では、筐体２を送風設備に着脱可能に取り付けるための取付構造４２が、筐体２のみに設けられていた（筐体２の取付部２４により構成されていた）が、この構成に限定されない。例えば、取付構造４２は、フレーム部２０の背面と、送風設備の壁面とに取り付ける雌雄一対の面ファスナー等で構成されていてもよい。
【００６９】
上記実施形態において、風車部４００は、回転中心である延出軸４００ｃの延びる方向に対して交差する方向で風を受けるように構成されていたが、特にこの構成に限定されるものではない。風車部４００は、例えば、回転中心である延出軸４００ｃの延びる方向と同方向で風を受けるように構成されていてもよい。但し、風車部４００は、クロスフローファンである方が回転効率は高くなる。
【符号の説明】
【００７０】
１…除電装置、２…筐体、３…放電針、４…給電部、５…表示部、２０…フレーム部、２１…第一ステー、２２…第二ステー、２３…前カバー部、２４…取付部、４０…電源部、４１…ホルダー、４２…取付構造、４３…高圧電源、２００…ベース部、２０１…架渡部、２０１ａ…第一架渡部、２０１ｂ…第二架渡部、２２０…第一延出部、２２０ａ…軸受部、２２１…第二延出部、２２１ａ…筐体側端子、２３０…杆状部、４００…風車部、４００ａ…側板部、４００ｂ…羽根部、４００ｃ…延出軸、４００ｄ…凹部、４０１…発電モーター、４０１ａ…回転軸、４１０…保持部、４１０ａ…第一保持部、４１０ａａ…軸孔、４１０ｂ…第二保持部、４１１…ホルダー側端子、４２０…着脱部、４２１…被着脱部
【図１】
0006921434.tif 000002
【図２】
0006921434.tif 000003
【図３】
0006921434.tif 000004
【図４】
0006921434.tif 000005